(57)【要約】【課題】自動分析装置の状態情報のうち、重要な情報を確実に端末装置および自動分析装置の少なくとも一方に報知することができる管理装置および管理システムを提供すること。【解決手段】検体に対する分析を行う自動分析装置２０および自動分析装置２０を保守・管理する管理端末装置４０それぞれと通信可能な管理サーバ３０を有する管理システム１であって、管理サーバ３０が自動分析装置２０の状態情報を取得し、判定部３６が、取得された状態情報が条件設定部４６によって設定された条件式Ｃに合致する情報が存在するか否かを判定し、条件式Ｃに合致した場合、管理サーバ３０は、条件式Ｃに合致する状態情報がある旨を管理端末装置４０および自動分析装置２０の少なくとも一方へ報知することによって、重要な装置の情報を確実に装置担当者に報知することが可能となる。【選択図】        図１
2010190687.tif 000002
【特許請求の範囲】
【請求項１】
検体に対する分析を行う自動分析装置および該自動分析装置を保守・管理する管理者側の端末装置それぞれと通信可能な管理装置であって、
前記自動分析装置の状態情報を取得する状態情報取得手段と、
前記状態情報を絞り込む条件を設定する条件設定手段と、
前記状態情報のうち前記条件に合致する情報が存在するか否かを判定する判定手段と、
前記条件に合致する状態情報が存在する場合、該条件に合致する状態情報がある旨を前記端末装置および前記自動分析装置の少なくとも一方へ報知する報知手段と、
を備えたことを特徴とする管理装置。
【請求項２】
前記条件設定手段は、前記自動分析装置単位で設定することを特徴とする請求項１に記載の管理装置。
【請求項３】
前記報知手段は、前記判定手段によって前記条件に合致した状態情報に対応する条件を、該条件に合致する状態情報がある旨とともに前記端末装置および前記自動分析装置の少なくとも一方へ報知することを特徴とする請求項１または２に記載の管理装置。
【請求項４】
前記報知手段は、前記条件に合致した状態情報に対応するデータを、該条件に合致する状態情報がある旨とともに前記端末装置および前記自動分析装置の少なくとも一方へ報知することを特徴とする請求項１〜３のいずれか一つに記載の管理装置。
【請求項５】
検体に対する分析を行う自動分析装置および該自動分析装置を保守・管理する管理者側の端末装置それぞれと通信可能な管理装置を有する管理システムであって、
前記管理装置は、
前記自動分析装置の状態情報を取得する状態情報取得手段と、
前記状態情報を絞り込む条件を設定する条件設定手段と、
前記状態情報のうち前記条件に合致する情報が存在するか否かを判定する判定手段と、
前記条件に合致する状態情報が存在する場合、該条件に合致する状態情報がある旨を前記端末装置および前記自動分析装置の少なくとも一方へ報知する報知手段と、
を備えたことを特徴とする管理システム。
【請求項６】
前記条件設定手段は、前記自動分析装置単位で設定することを特徴とする請求項５に記載の管理システム。
【請求項７】
前記報知手段は、前記判定手段によって前記条件に合致した状態情報に対応する条件を、該条件に合致する状態情報がある旨とともに前記端末装置および前記自動分析装置の少なくとも一方へ報知することを特徴とする請求項５または６に記載の管理システム。
【請求項８】
前記報知手段は、前記条件に合致した状態情報に対応するデータを、該条件に合致する状態情報がある旨とともに前記端末装置および前記自動分析装置の少なくとも一方へ報知することを特徴とする請求項５〜７のいずれか一つに記載の管理システム。
【請求項９】
前記報知手段は、前記条件および前記条件に合致した状態情報のデータを表またはグラフ化して表示することを特徴とする請求項５〜８のいずれか一つに記載の管理システム。
【請求項１０】
前記端末装置は、
前記条件設定手段で設定される前記条件を入力する入力手段を備えたことを特徴とする請求項５〜９のいずれか一つに記載の管理システム。
【請求項１１】
前記自動分析装置は、
前記条件設定手段で設定される前記条件を入力する入力手段を備えたことを特徴とする請求項５〜１０のいずれか一つに記載の管理システム。
【発明の詳細な説明】
【技術分野】
【０００１】
本発明は、検体に対する分析を行う自動分析装置および該自動分析装置を保守・管理する管理者側の端末装置それぞれと通信可能な管理装置を有する管理システムに関するものである。
【背景技術】
【０００２】
従来、自動分析装置の信頼性を高めるため、ネットワークなどの通信接続手段を介して複数の自動分析装置と管理サーバとを接続し、接続した自動分析装置と管理サーバの間で通信を行うことによって、自動分析装置の保守・管理する管理システムが提案されている。この管理システムでは、ネットワークを介して遠隔制御が可能であり、自動分析装置から状態情報を定期的または不定期に受信することによって、自動分析装置の状態を把握することができる。特に、自動分析装置において障害等が発生した場合に電子メール等で通知されるため、迅速に対応できる。
【０００３】
ところで、管理装置が定期的または不定期に自動分析装置の状態情報を取得すると、情報量の増大につながり、管理装置の処理能力が低下するという問題があった。この問題に対して、管理装置が、被管理装置から受信した情報のうち、ある特定の情報を検知した場合に、その情報の重要度に応じてメンテナンス端末装置等に通知するか否かを判定した後に通知する遠隔監視システムが開示されている（たとえば、特許文献１参照）。
【０００４】
【特許文献１】特開２００４−２５８７１０号公報
【発明の開示】
【発明が解決しようとする課題】
【０００５】
しかしながら、特許文献１に示す遠隔監視システムでは、異常を確認した場合に携帯端末等に通知するようになっているが、自動分析装置の場合、接続された各自動分析装置の機種またはバージョンによって対応が異なるため、異常と確認された情報であっても、不必要な情報である場合があり、無駄な情報の蓄積に繋がるおそれがあった。
【０００６】
本発明は、上記に鑑みてなされたものであって、自動分析装置の状態情報のうち、重要な情報を確実に端末装置および自動分析装置の少なくとも一方に報知することができる管理装置および管理システムを提供することを目的とする。
【課題を解決するための手段】
【０００７】
上述した課題を解決し、目的を達成するために、本発明は、検体に対する分析を行う自動分析装置および該自動分析装置を保守・管理する管理者側の端末装置それぞれと通信可能な管理装置であって、前記自動分析装置の状態情報を取得する状態情報取得手段と、前記状態情報を絞り込む条件を設定する条件設定手段と、前記状態情報のうち前記条件に合致する情報が存在するか否かを判定する判定手段と、前記条件に合致する状態情報が存在する場合、該条件に合致する状態情報がある旨を前記端末装置および前記自動分析装置の少なくとも一方へ報知する報知手段と、を備えたことを特徴とする。
【０００８】
また、本発明にかかる管理装置は、上記の発明において、前記条件設定手段は、前記自動分析装置単位で設定することを特徴とする。
【０００９】
また、本発明にかかる管理装置は、上記の発明において、前記報知手段は、前記判定手段によって前記条件に合致した状態情報に対応する条件を、該条件に合致する状態情報がある旨とともに前記端末装置および前記自動分析装置の少なくとも一方へ報知することを特徴とする。
【００１０】
また、本発明にかかる管理装置は、上記の発明において、前記報知手段は、前記条件に合致した状態情報に対応するデータを、該条件に合致する状態情報がある旨とともに前記端末装置および前記自動分析装置の少なくとも一方へ報知することを特徴とする。
【００１１】
また、本発明にかかる管理システムは、上記の発明において、検体に対する分析を行う自動分析装置および該自動分析装置を保守・管理する管理者側の端末装置それぞれと通信可能な管理装置を有する管理システムであって、前記管理装置は、前記自動分析装置の状態情報を取得する状態情報取得手段と、前記状態情報を絞り込む条件を設定する条件設定手段と、前記状態情報のうち前記条件に合致する情報が存在するか否かを判定する判定手段と、前記条件に合致する状態情報が存在する場合、該条件に合致する状態情報がある旨を前記端末装置および前記自動分析装置の少なくとも一方へ報知する報知手段と、を備えたことを特徴とする。
【００１２】
また、本発明にかかる管理システムは、上記の発明において、前記条件設定手段は、前記自動分析装置単位で設定することを特徴とする。
【００１３】
また、本発明にかかる管理システムは、上記の発明において、前記報知手段は、前記判定手段によって前記条件に合致した状態情報に対応する条件を、該条件に合致する状態情報がある旨とともに前記端末装置および前記自動分析装置の少なくとも一方へ報知することを特徴とする。
【００１４】
また、本発明にかかる管理システムは、上記の発明において、前記報知手段は、前記条件に合致した状態情報に対応するデータを、該条件に合致する状態情報がある旨とともに前記端末装置および前記自動分析装置の少なくとも一方へ報知することを特徴とする。
【００１５】
また、本発明にかかる管理システムは、上記の発明において、前記報知手段は、前記条件および前記条件に合致した状態情報のデータを表またはグラフ化して表示することを特徴とする。
【００１６】
また、本発明にかかる管理システムは、上記の発明において、前記端末装置は、前記条件設定手段で設定される前記条件を入力する入力手段を備えたことを特徴とする。
【００１７】
また、本発明にかかる管理システムは、上記の発明において、前記自動分析装置は、前記条件設定手段で設定される前記条件を入力する入力手段を備えたことを特徴とする。
【発明の効果】
【００１８】
本発明によれば、条件式によって淘汰された自動分析装置の状態情報をメール等で報知するため、重要な情報を確実に端末装置および自動分析装置の少なくとも一方に報知することができるという効果を奏する。
【発明を実施するための最良の形態】
【００１９】
以下、図面を参照して、この発明の実施の形態である自動分析装置の管理システムについて説明する。なお、この実施の形態によりこの発明が限定されるものではない。また、図面の記載において、同一部分には同一の符号を付している。
【００２０】
まず、実施の形態にかかる管理システムについて説明する。図１は、本発明の実施の形態にかかる自動分析装置の管理システムの構成を示す模式図である。この管理システム１は、検体を自動的に分析する複数の自動分析装置２０と、各自動分析装置２０から送信される情報を管理する管理装置としての管理サーバ３０と、管理サーバ３０へのアクセスが可能な管理端末装置４０とが、インターネット等のネットワークＮを介して通信可能に接続される。
【００２１】
自動分析装置２０は、検体および検査項目に対応する試薬を反応容器に分注し、反応容器内で生じる反応を光学的に測定する測定機構２１と、自動分析装置２０の各構成部位の処理および動作を制御する制御部２２と、種々の情報を入力する入力部２３と、測定機構２１による測定結果に基づいて検体に対する分析処理等を行なう分析部２４と、検体の分析結果等を含む諸情報および各自動分析装置２０を識別する識別情報としての装置ＩＤを記憶する記憶部２５と、分析に関する諸情報を出力する出力部２６と、ネットワークＮを介して所定の形式にしたがった情報の送受信を行なう送受信部２７と、を有する。
【００２２】
管理サーバ３０は、各自動分析装置２０から送信された各自動分析装置２０の情報を管理情報として記憶する記憶部３１と、管理サーバ３０の各構成部位の処理動作を制御する制御部３２と、ネットワークＮを介して所定の形式にしたがった情報の送受信を行なうインターフェースとしての機能を有する送受信部３３と、諸情報を外部から取得する入力部３４と、ディスプレイ等を用いて構成され、管理サーバ３０が処理した各自動分析装置２０の状態情報を表示する出力部３５と、を有する。また、記憶部３１は、各自動分析装置２０から受信する状態情報のうち、管理端末装置４０に送信する情報を選択するための条件式Ｃを記憶する。さらに、管理サーバ３０は、各自動分析装置２０から受信した状態情報が、条件式Ｃに該当するか否かを判定する判定部３６を有する。なお、判定部３６が条件式Ｃに該当したと判定し、状態情報が条件式Ｃを満たした場合、管理サーバ３０は、管理端末装置４０に条件式Ｃと合致した状態情報がある旨の情報を送信する。なお、送信される情報には、条件式Ｃとして設定された条件と、当該条件に合致した状態情報の実データとが含まれる。また、自動分析装置２０の状態情報には、警報情報、温度情報、分注回数または測光回数等の情報が含まれる。
【００２３】
管理端末装置４０は、管理サーバ３０の記憶部３１から読み出した各自動分析装置２０の状態情報を記憶する記憶部４１と、管理端末装置４０の各構成部位の処理動作を制御する制御部４２と、ネットワークＮを介して所定の形式にしたがった情報の送受信を行なうインターフェースとしての機能を有する送受信部４３と、種々の情報を入力するためのキーボード等を用いて構成され、検体の分析に必要な諸情報や分析動作の指示情報等を外部から取得する入力部４４と、ディスプレイ等を用いて構成され、管理サーバ３０の記憶部３１から読み出した各自動分析装置２０の情報を表示する出力部４５と、を有する。また、制御部４２は、管理サーバ３０において用いられる条件式Ｃの設定を行なう条件設定部４６を有する。なお、管理端末装置４０は、ネットワークＮを介して管理サーバ３０に接続するものを例示したが、これに限らず、例えば、管理サーバ３０にローカル接続してもよい。
【００２４】
この管理システム１では、管理サーバ３０が各自動分析装置２０の状態情報を受信し、受信した情報が条件式Ｃに該当するか否かを判定部３６が判定し、各自動分析装置２０の管理情報として、装置ＩＤと関連付けて記憶部３１に保存する。制御部３２は、条件式Ｃに合致した情報がある旨を、各自動分析装置２０および管理端末装置４０のうち少なくとも一方に通知するとともに、通知された装置のそれぞれ出力部２６，４５に情報を表示出力させるよう指示することによって、管理装置側から各自動分析装置２０の迅速な管理を行なうことができる。
【００２５】
ここで、条件式の設定について、図２〜４を参照して説明する。図２は、本発明の実施の形態にかかる管理端末装置における条件式設定画面を示す模式図である。図２に示す条件式設定画面Ｗ１は、条件式登録ボタンＢ１と、条件式一覧ボタンＢ２とを有する。条件式を設定・登録する場合は、条件式登録ボタンＢ１を押下し、登録された条件式を確認する場合は、条件式一覧ボタンＢ２を押下する。また、条件式設定画面Ｗ１を閉じる場合は、キャンセルボタンＣＢを押下することによって画面を閉じる。
【００２６】
また、条件式登録ボタンＢ１を押下した場合に表示される条件式設定画面を、図３，４を参照して説明する。図３は、図２に示す条件式登録ボタンを押下した場合に表示される条件式登録画面を示す模式図である。図３に示す条件式登録画面Ｗ２は、条件式名、判定種別、機種、条件式、復旧方法および装置選択が設定可能であり、それぞれ入力または選択することで設定できる。条件式名は、他と区別でき、条件式の内容がわかるように入力ボックスＥＢ１に入力され、復旧方法は、条件式に対応して、自動分析装置が条件式を満たした状態になった場合の管理者または装置担当者の対応策を入力ボックスＥＢ５に記載する。判定種別は、プルダウンＰ１１を押下することによって異常、復旧および通知から選択できる。機種および装置選択は、プルダウンＰ１２を押下することによって、管理端末装置に登録されている機種が選択でき、機種の選択によって、機種に対応した装置名が表示され、装置単体または全装置の選択を行なう。なお、装置選択において、選択された装置名は、図３に示すように網掛け表示される。また、装置選択は、プルダウンＰ５１，Ｐ５２またはスクロールバーＳによって画面に表示されていない装置名の確認が可能である。
【００２７】
条件式は、図３に示すように条件式を複数有し、条件式追加ボタンＢ３を押下することで任意に条件式を増やすことが可能である。条件式１は、プルダウンＰ１３を押下して発生頻度（ｍｉｎ）を選択することで、等号および不等号を選択するプルダウンＰ２１と数値等を入力する入力ボックスＥＢ２が表示される。また、条件式２は、プルダウンＰ１４を押下して警報番号を選択した場合を示しており、等号・不等号を表示するプルダウンＰ２２は、イコールに設定されている。なお、警報番号を選択した場合、警報番号の障害が起こる回数もプルダウンＰ３１で選択することができ、この場合、入力ボックスＥＢ３に入力された警報番号１０００の障害が３回と設定されている。条件式３は、プルダウンＰ１５から選択された庫内温度（℃）の設定であって、プルダウンＰ２３の選択を以下（＞＝）にし、入力ボックスＥＢ４に１０と入力することで、１０℃以下の条件式が設定されている。上述した条件式１〜３は、３０分以内に警報番号１０００が３回発生し、保冷庫内の温度が１０℃以上であることを検知した場合であって、情報が条件式に合致すると、図１に示す判定部３６は、制御部３２に条件式に合致した情報がある旨を報知し、制御部３２が、管理端末装置４０に報知する。
【００２８】
また、復旧に対応する条件式について、図４を参照して説明する。図４は、図２に示す条件式登録ボタンを押下した場合に表示される条件式登録画面を示す模式図である。図４に示す条件式登録画面Ｗ３は、図３に示す条件式登録画面Ｗ２に対応するよう設定し、条件式名を復旧判定と入力ボックスＥＢ１に入力し、判定種別は、プルダウンＰ１１を押下して復旧を選択する。なお、図３に対応する復旧判定であるため、条件式の各項目は、図３の条件式と同様に設定され、各プルダウンＰ２２，２３，３１を変更して、復旧判定条件を設定する。ここでは、条件式２が、プルダウンＰ２２，Ｐ３１の変更によって警報番号１０００が１回（×１）以下（＜＝）に設定され、条件式３が、プルダウンＰ２３の変更によって１０℃未満（＜＜）に設定されている。図４に示す条件式１〜３を満たすことによって、図３に示した異常判定の条件式に対応した復旧の条件式が設定でき、異常判定後に、当該条件式の復旧通知も行なうことができる。また、復旧方法の入力ボックスＥＢ５に、条件式を満たした場合に報知される情報に付加するコメントを入力してもよい。
【００２９】
なお、各条件式に番号を付して、条件式中に対応する番号、たとえば、異常に対する復旧の条件式の番号を入力することで条件式を紐付けし、異常を示す条件式が報知された場合に紐付けされた復旧の条件式がアクティブになるように設定してもよい。
【００３０】
ここで、図２の条件式設定画面Ｗ１の条件式一覧ボタンＢ２を押下した場合について、図５を参照して説明する。図５は、図２の条件式設定画面の条件式一覧ボタンを押下した場合に表示される条件式一覧画面を示す模式図である。図５に示す条件式一覧画面Ｗ４は、条件式名と判定種別とが表示され、ボタン群ＢＧ１を有し、ボタン群ＢＧ１の各詳細表示ボタンＢ６は、詳細表示ボタンＢ６の押下によって同行に対応した条件式の詳細表示を行なう。また、条件式一覧画面を閉じる場合は、キャンセルボタンＣＢを押下する。
【００３１】
なお、詳細表示ボタンＢ６を押下した場合に表示される詳細情報は、図３または図４に示す条件式設定画面Ｗ２またはＷ３を表示してもよく、設定された条件式のデータ一覧を表示してもよい。また、各判定種別に対応して文字色等を変更してもよい。
【００３２】
つぎに、図１に示す管理サーバ３０が行なう条件式判定処理を、図６を参照して説明する。図６は、本発明の実施の形態にかかる条件式判定処理を示すフローチャートである。まず、制御部３２は、ネットワークＮ等で接続された各自動分析装置２０から各状態情報を受信すると（ステップＳ１０２）、受信した状態情報に対応する条件式Ｃが設定されているかを、記憶部３１を参照して検索する（ステップＳ１０４）。当該状態情報に対応する条件式がある場合（ステップＳ１０６：Ｙｅｓ）、制御部３２は、当該状態情報を、各自動分析装置単位で割り振られる装置ＩＤと、当該状態情報が対応する条件式Ｃとに関連付けて記憶部３１に記憶させる（ステップＳ１０８）。また、制御部３２は、当該状態情報によって、対応する条件式Ｃの条件を満たすか否かを判定部３６に判定するよう指示する（ステップＳ１１０）。制御部３２は、判定部３６から当該状態情報が対応する条件式Ｃを満たすとの判定情報を受信すると（ステップＳ１１０：Ｙｅｓ）、条件式Ｃを満たす状態情報がある旨を管理端末装置４０に報知するよう出力部３５に指示する（ステップＳ１１２）。なお、管理端末装置４０に報知する情報は、条件式Ｃに合致した状態情報がある旨の情報に加え、条件式Ｃとして設定された各条件と、条件式Ｃに該当した状態情報の実データとを少なくとも含み、適宜、各状態情報を受信した時刻等を付加してもよい。管理端末装置４０に報知後、制御部３２は、新たな状態情報があるか否かを確認し（ステップＳ１１４）、新たな状態情報がある場合（ステップＳ１１４：Ｙｅｓ）、ステップＳ１０４に移行して、新たに受信した状態情報に対応する条件式の検索を行なう。また、新たな状態情報がない場合（ステップＳ１１４：Ｎｏ）、条件式判定処理を終了する。
【００３３】
また、ステップＳ１０６において、当該状態情報に対応する条件式がない場合（ステップＳ１０６：Ｎｏ）または当該状態情報によって条件式Ｃを満たさない場合（ステップＳ１１０：Ｎｏ）、制御部３２は、ステップＳ１１４に移行する。なお、ステップＳ１１２における報知処理は、管理端末装置に報知するとともに、自動分析装置に報知してもよい。報知対象の自動分析装置は、登録されている全ての自動分析装置であってもよく、条件式Ｃで設定された自動分析装置であってもよく、状態情報に対応する当該自動分析装置のみであってもよい。
【００３４】
ここで、条件式の設定は、各自動分析装置から行ってもよい。図７は、図１に示す管理システムの変形例を示す模式図である。図７に示す管理システム１は、制御部２２が条件設定部２８を有し、入力部２３から入力される各条件を設定し、入力された条件を条件式Ｃとして管理サーバ３０の記憶部３１が記憶することで条件式を設定することができる。
【００３５】
なお、条件式の設定および報知処理は、管理サーバと自動分析装置との間のみで行ってもよく、試薬補充情報、消耗品の交換情報等の条件式を設定し、当該自動分析装置に報知するようにしてもよい。
【００３６】
上述した実施の形態にかかる管理システムによって、管理端末装置側または自動分析装置において重要な情報を選択的に報知するため、重要な情報を確実に受信して迅速に対応することができる。また、報知する情報内に各条件に関する情報が付加されることで、装置異常に対する一次調査を、異常の報知と同時に行なうことが可能なため、一層確実に装置状態を把握することができる。さらに、報知する情報内に、各条件に関する情報と、各条件に対応する実データを付加することで、報知された後の詳細データの授受を削減し、再度管理サーバにアクセスすることなく、詳細データの確認を行なうことができる。
【００３７】
なお、報知する条件式に関するデータを表またはグラフ化して、各出力部１３，２３，３３がモニタ画面等に表示するようにしてもよい。表またはグラフ化することによって、報知された情報を一層容易に確認することができる。
【００３８】
また、上述した実施の形態に限らず、ここでは記載していないさまざまな実施の形態等を含みうるものであり、特許請求の範囲により特定される技術的思想を逸脱しない範囲内において種々の設計変更等を施すことが可能である。
【図面の簡単な説明】
【００３９】
【図１】本発明の実施の形態にかかる自動分析装置の管理システムの構成を示す模式図である。
【図２】本発明の実施の形態にかかる管理端末装置における条件式設定画面を示す模式図である。
【図３】図２に示す条件式登録ボタンを押下した場合に表示される条件式設定画面を示す模式図である。
【図４】図２に示す条件式登録ボタンを押下した場合に表示される条件式設定画面を示す模式図である。
【図５】図２の条件式設定画面の条件式一覧ボタンを押下した場合に表示される条件式一覧画面を示す模式図である。
【図６】本発明の実施の形態にかかる条件式判定処理を示すフローチャートである。
【図７】図１に示す管理システムの変形例を示す模式図である。
【符号の説明】
【００４０】
１  管理システム
２０  自動分析装置
２１  測定機構
２２，３２，４２  制御部
２３，３４，４４  入力部
２４  分析部
２５，３１，４１  記憶部
２６，３５，４５  出力部
２７，３３，４３  送受信部
２８，４６  条件設定部
３０  管理サーバ
３６  判定部
４０  管理端末装置
Ｃ  条件式
Ｎ  ネットワーク
【図１】
2010190687.tif 000003
【図２】
2010190687.tif 000004
【図３】
2010190687.tif 000005
【図４】
2010190687.tif 000006
【図５】
2010190687.tif 000007
【図６】
2010190687.tif 000008
【図７】
2010190687.tif 000009